(57)【要約】【課題】カレーなどの高粘度、低流動性の調理物を調理する場合や土鍋などの熱伝導率の低い調理容器を用いて調理する場合などのいずれの場合にも適切な焦げ付き防止措置開始温度の設定を行うことが可能で、焦げ付きを確実に防止して、効率よく調理を行うことが可能な加熱調理器を提供する。【解決手段】(ａ)焦げ付き防止措置開始温度を「最新の平衡検出温度＋所定温度」とし、その温度に達した時点で焦げ付き防止措置を実行する一方、(ｂ)「今回の平衡検出温度＞前回の平衡検出温度」の条件が所定回数連続して成立した場合に、(イ)焦げ付き防止措置開始温度が、所定の限界温度以上である場合には限界温度を焦げ付き防止措置開始温度とし、(ロ)焦げ付き防止措置開始温度が、所定の限界温度未満である場合には「最新の平衡検出温度＋所定温度」の値を焦げ付き防止措置開始温度とし、調理物がその温度に達した時点で焦げ付き防止措置を実行する。【選択図】図９Ａ
2010255949.tif 000002
【特許請求の範囲】
【請求項１】
こんろ部とグリル部とを備え、こんろ部上に載置した調理容器の底部の温度が平衡状態となったことが検出される平衡検出温度の値に所定の値を加えた温度を、焦げ付きを防止するために加熱を停止させ、または、加熱を抑制する焦げ付き防止措置開始温度とし，調理物が焦げ付き防止措置開始温度に達した時点で加熱を停止または抑制するように構成された、焦げ付きを防止する機能を備えた加熱調理器であって、
前記平衡状態となったことを検出したと判定するにあたって、「平衡検出時間の終了時点の検出温度−平衡検出時間の開始時点の検出温度」の値である温度変化幅Ｖが、
こんろバーナと同時にグリルバーナが燃焼していないときには「平衡検出下限偏差≦Ｖ≦平衡検出上限偏差」の要件を満たすときに平衡検出したと見なして、その時点の検出温度を平衡検出温度とし、
こんろバーナと同時にグリルバーナが燃焼しているときには「平衡検出下限偏差≦Ｖ≦平衡検出上限偏差＋同時使用加算温度」の要件を満たすときに平衡検出したと見なして、その時点の検出温度を平衡検出温度とし、
こんろバーナと同時にグリルバーナが燃焼しているときには、平衡検出を判定するための前記温度変化幅Ｖの上限を、こんろバーナと同時にグリルバーナが燃焼していないときに比べて所定温度高くするように構成されていること
を特徴とする加熱調理器。
【請求項２】
グリルバーナが所定時間以上燃焼した後におけるグリルバーナ消火直後の所定時間の間は、「平衡検出下限偏差≦Ｖ≦平衡検出上限偏差＋同時使用加算温度」の要件を満たすときに平衡検出したと見なして、その時点の検出温度を平衡検出温度とし、グリルバーナが所定時間以上燃焼した後におけるグリルバーナ消火直後の所定時間の間は、平衡検出を判定するための温度変化幅Ｖの上限を、こんろバーナと同時にグリルバーナが燃焼していないときに比べて所定温度高くするように構成されていること
を特徴とする請求項１記載の加熱調理器。
【請求項３】
こんろ部を備え、こんろ部上に載置した調理容器の底部の温度が平衡状態となったことが検出される平衡検出温度の値に所定の値を加えた温度を、焦げ付きを防止するために加熱を停止させ、または、加熱を抑制する焦げ付き防止措置開始温度とし，調理物が前記焦げ付き防止措置開始温度に達した時点で加熱を停止または抑制するように構成された、焦げ付きを防止する機能を備えた加熱調理器であって、
(ａ)焦げ付き防止措置開始温度を「最新の平衡検出温度＋所定温度」とし、調理物が前記焦げ付き防止措置開始温度に達した時点で焦げ付き防止措置を実行する一方、
(ｂ)「今回の平衡検出温度＞前回の平衡検出温度」の条件が所定回数連続して成立した場合において、(イ)前記「最新の平衡検出温度＋所定温度」の式により求められる焦げ付き防止措置開始温度が、所定の限界温度以上である場合には、前記限界温度を焦げ付き防止措置開始温度とし、(ロ)前記「最新の平衡検出温度＋所定温度」の式により求められる焦げ付き防止措置開始温度が、前記所定の限界温度未満である場合には、前記「最新の平衡検出温度＋所定温度」の式により求められる温度を焦げ付き防止措置開始温度とし、調理物が前記焦げ付き防止措置開始温度に達した時点で焦げ付き防止措置を実行するように構成されていること
を特徴とする加熱調理器。
【請求項４】
平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには前記所定の限界温度を第１の限界温度に設定し、
平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには前記所定の限界温度を第１の限界温度より高い第２の限界温度に設定すること
を特徴とする請求項３記載の加熱調理器。
【請求項５】
グリルバーナを備え、該グリルバーナが燃焼していないときには前記所定の限界温度を第１の限界温度に設定し、該グリルバーナが燃焼しているときであって平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには前記所定の限界温度を第１の限界温度に設定し、
該グリルバーナが燃焼しているときであって平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには前記所定の限界温度を第１の限界温度より高い第２の限界温度に設定すること
を特徴とする請求項３記載の加熱調理器。
【請求項６】
グリルバーナが燃焼していないときであっても、グリルバーナが所定時間以上燃焼した後におけるグリルバーナ消火直後の所定時間の間に、平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには、前記所定の限界温度を第１の限界温度より高い第２の限界温度に設定することを特徴とする請求項５記載の加熱調理器。
【発明の詳細な説明】
【技術分野】
【０００１】
本発明は、加熱調理器に関し、詳しくは、焦げ付き防止機能を備えた加熱調理器に関する。
【背景技術】
【０００２】
ガスを燃料とする加熱調理器において、鍋や釜などの調理容器内の調理物の焦げ付き防止機能を備えた加熱調理器が提案されている（特許文献1参照）。
【０００３】
この加熱調理器は、調理物判別手段で判別された調理容器内の調理物の種類に応じてこんろ部のガス供給制御装置を停止させる停止温度を設定し、判定制御手段が、温度センサによる検出温度が停止温度まで上昇するとガス供給制御装置を停止させる焦げ付き防止機能を備えた加熱調理器である。
【０００４】
そして、この加熱調理器においては、グリル用ガスバーナの燃焼による温度変化を検出するグリル用熱電対の検出温度が所定温度よりも高い間は、グリル動作判定手段が動作信号を発生して、こんろの停止温度設定手段が、前記動作信号を受けている間は判定制御手段で用いる停止温度を第１の停止温度よりも所定温度だけ高い第２の停止温度に設定し、グリルを使用している場合にもグリル部の熱の影響によって、調理の途中で調理容器の加熱が停止されることがないように構成されている。
【０００５】
ところで、調理容器として、金属製の鍋よりも熱伝導率が低い土鍋などを用いた場合、土鍋（調理容器）の底に当接したこんろ用温度検出手段で検出される温度が、調理容器内の調理物の温度より高くなってしまいやすい。
【０００６】
特に、こんろと同時にグリルを使用した場合は、グリル用ガスバーナの燃焼による熱の影響を受け、調理容器の底に当接したこんろ用温度検出手段で検出される温度が、調理容器内の調理物の温度より高くなってしまう傾向がさらに強くなる。
【０００７】
したがって、上記従来の技術を用いる場合、グリル部の熱の影響により、調理の途中で調理容器の加熱が停止されてしまうこと(いわゆる早切れ）を防止するためには、土鍋などの熱伝導率が低い調理容器の使用も想定して、上記第２の停止温度を、金属製の鍋だけを想定した場合よりも高い目の温度に設定しておく必要がある。
【０００８】
一方、前日に調理したカレーなどの温め直し調理を行うような場合、金属製の鍋を調理容器として用いる場合であっても、調理容器内の調理物（カレー）の粘度が高く流動性が低いことに起因して、調理容器の底に当接したこんろ用温度検出手段で検出される温度が調理容器内の調理物（カレー）の平均温度より高くなってしまう傾向がある。そのため、例えば、粘度がそれ程高くなく、流動性の良好な煮物調理などを行う場合と比べて、焦げ付き防止のための停止温度を高い目の温度とすることが望ましい。すなわち、調理容器内の調理物（カレー）の粘度が高く流動性が低い場合に、通常の、粘度がそれ程高くなく流動性の良好な煮物調理を行う場合と比べて、焦げ付き防止のための停止温度を高い目の温度とすることにより、焦げ付き防止機能が働いてこんろバーナによる加熱が停止したときに加熱不十分による温め不足となってしまうことを防止することができる。
【０００９】
しかしながら、カレーの温め直しなどのように調理容器内の調理物の粘度が高く流動性が低い場合においては、グリルを使用した場合の、焦げ付き防止のための停止温度をあまり高い目に設定しすぎると、焦げ付き防止機能が働いてこんろバーナによる加熱が停止したときに、調理物（カレー）の調理容器の底付近が焦げ付いた状態となってしまうおそれがある。それゆえ、焦げ付き防止のための停止温度をあまり高い目の温度に設定することはできないのが実情である。
【００１０】
上記の事情を考慮すると、調理容器として土鍋を用いた場合には、焦げ付き防止のための停止温度を高い目の温度とする一方、カレーの温め直しなどのように調理容器内の調理物の粘度が高く流動性が低い場合においては、焦げ付き防止のための停止温度をあまり高くない温度とすることが望ましい。
【００１１】
しかしながら、グリルを使用しているか否かに応じて焦げ付き防止のための停止温度を変更設定するだけでは、調理容器内の調理物の粘度が高く流動性が低い場合の調理であるのか、土鍋などのような熱伝導率が小さい調理容器による調理であるのかを判別することができないため、調理の内容に応じた適切な焦げ付き防止のための停止温度設定を行うことができない。
【先行技術文献】
【特許文献】
【００１２】
【特許文献１】特開平０９−３１０８６０号公報
【発明の概要】
【発明が解決しようとする課題】
【００１３】
本発明は、上記実情に鑑みてなされたものであり、カレーなどの粘度が高く流動性が低い調理物を調理する場合や土鍋などのような熱伝導率が小さい調理容器を用いて調理する場合などのいずれの場合にも、調理の内容に応じて適切な焦げ付き防止措置開始温度の設定を行うことが可能で、焦げ付きを確実に防止して、効率よく調理を行うことが可能な加熱調理器を提供することを目的とする。
【課題を解決するための手段】
【００１４】
上記の目的を達成するために、本発明の請求項１記載の発明にかかる加熱調理器は、
こんろ部とグリル部とを備え、こんろ部上に載置した調理容器の底部の温度が平衡状態となったことが検出される平衡検出温度の値に所定の値を加えた温度を、焦げ付きを防止するために加熱を停止させ、または、加熱を抑制する焦げ付き防止措置開始温度とし，調理物が前記焦げ付き防止措置開始温度に達した時点で加熱を停止または抑制するように構成された、焦げ付きを防止する機能を備えた加熱調理器であって、
前記平衡状態となったことを検出したと判定するにあたって、「平衡検出時間の終了時点の検出温度−平衡検出時間の開始時点の検出温度」の値である温度変化幅Ｖが、
こんろバーナと同時にグリルバーナが燃焼していないときには「平衡検出下限偏差≦Ｖ≦平衡検出上限偏差」の要件を満たすときに平衡検出したと見なして、その時点の検出温度を平衡検出温度とし、
こんろバーナと同時にグリルバーナが燃焼しているときには「平衡検出下限偏差≦Ｖ≦平衡検出上限偏差＋同時使用加算温度」の要件を満たすときに平衡検出したと見なして、その時点の検出温度を平衡検出温度とし、
こんろバーナと同時にグリルバーナが燃焼しているときには、平衡検出を判定するための前記温度変化幅Ｖの上限を、こんろバーナと同時にグリルバーナが燃焼していないときに比べて所定温度高くするように構成されていること
を特徴としている。
【００１５】
また、請求項２の加熱調理器は、
グリルバーナが所定時間以上燃焼した後におけるグリルバーナ消火直後の所定時間の間は、「平衡検出下限偏差≦Ｖ≦平衡検出上限偏差＋同時使用加算温度」の要件を満たすときに平衡検出したと見なして、その時点の検出温度を平衡検出温度とし、グリルバーナが所定時間以上燃焼した後におけるグリルバーナ消火直後の所定時間の間は、平衡検出を判定するための温度変化幅Ｖの上限を、こんろバーナと同時にグリルバーナが燃焼していないときに比べて所定温度高くするように構成されていること
を特徴としている。
【００１６】
また、請求項３の加熱調理器は、
こんろ部を備え、こんろ部上に載置した調理容器の底部の温度が平衡状態となったことが検出される平衡検出温度の値に所定の値を加えた温度を、焦げ付きを防止するために加熱を停止させ、または、加熱を抑制する焦げ付き防止措置開始温度とし，調理物が前記焦げ付き防止措置開始温度に達した時点で加熱を停止または抑制するように構成された、焦げ付きを防止する機能を備えた加熱調理器であって、
(ａ)焦げ付き防止措置開始温度を「最新の平衡検出温度＋所定温度」とし、調理物が焦げ付き防止措置開始温度に達した時点で焦げ付き防止措置を実行する一方、
(ｂ)「今回の平衡検出温度＞前回の平衡検出温度」の条件が所定回数連続して成立した場合において、(イ)前記「最新の平衡検出温度＋所定温度」の式により求められる焦げ付き防止措置開始温度が、所定の限界温度以上である場合には、前記限界温度を焦げ付き防止措置開始温度とし、(ロ)前記「最新の平衡検出温度＋所定温度」の式により求められる焦げ付き防止措置開始温度が、前記所定の限界温度未満である場合には、前記「最新の平衡検出温度＋所定温度」の式により求められる温度を焦げ付き防止措置開始温度とし、調理物が前記焦げ付き防止措置開始温度に達した時点で焦げ付き防止措置を実行するように構成されていること
を特徴としている。
【００１７】
また、請求項４の加熱調理器は、
平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには前記所定の限界温度を第１の限界温度に設定し、
平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには前記所定の限界温度を第１の限界温度より高い第２の限界温度に設定すること
を特徴としている。
【００１８】
また、請求項５の加熱調理器は、
グリルバーナを備え、該グリルバーナが燃焼していないときには前記所定の限界温度を第１の限界温度に設定し、該グリルバーナが燃焼しているときであって平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには前記所定の限界温度を第１の限界温度に設定し、
該グリルバーナが燃焼しているときであって平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには前記所定の限界温度を第１の限界温度より高い第２の限界温度に設定すること
を特徴としている。
【００１９】
また、請求項６の加熱調理器は、グリルバーナが燃焼していないときであっても、グリルバーナが所定時間以上燃焼した後におけるグリルバーナ消火直後の所定時間の間に、平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには、前記所定の限界温度を第１の限界温度より高い第２の限界温度に設定することを特徴としている。
【発明の効果】
【００２０】
本発明（請求項１）は、平衡検出の判定において、「平衡検出時間の終了時点の検出温度−平衡検出時間の開始時点の検出温度」の値である温度変化幅Ｖが、
(ａ)こんろバーナと同時にグリルバーナが燃焼していないときには「平衡検出下限偏差≦Ｖ≦平衡検出上限偏差」の要件を満たすときに平衡検出したと見なして、その時点の検出温度を平衡検出温度とし、
(ｂ)こんろバーナと同時にグリルバーナが燃焼しているときには「平衡検出下限偏差≦Ｖ≦平衡検出上限偏差＋同時使用加算温度」の要件を満たすときに平衡検出したと見なして、その時点の検出温度を平衡検出温度とし、
こんろバーナと同時にグリルバーナが燃焼しているときには、平衡検出を判定するための温度変化幅Ｖの上限を、こんろバーナと同時にグリルバーナが燃焼していないときに比べて所定温度だけ高くするようにしているため、調理容器内の調理物がカレーなどのように粘度が高く、流動性の低いものである場合および調理容器が土鍋のような熱伝達率が低いものである場合のいずれの場合にも、グリルバーナ燃焼熱による誤判定（調理容器内の調理物の温度が沸騰などの温度平衡状態であるにも関わらず、平衡状態ではないと判定してしまうこと）を防止することが可能になり、焦げ付きが発生していないにもかかわらず，加熱を停止してしまったり，抑制しすぎてしまったりすることを回避しつつ、調理物の焦げ付くことを防止して、効率のよい調理を行うことができる。
【００２１】
また、本発明の請求項２の加熱調理器のように、グリルバーナが所定時間以上燃焼した後におけるグリルバーナ消火直後の所定時間の間は、「平衡検出下限偏差≦Ｖ≦平衡検出上限偏差＋同時使用加算温度」の要件を満たすときに平衡検出したと見なして、その時点の検出温度を平衡検出温度とし、グリルバーナが所定時間以上燃焼した後におけるグリルバーナ消火直後の所定時間の間は、平衡検出を判定するための温度変化幅Ｖの上限を、こんろバーナと同時にグリルバーナが燃焼していないときに比べて所定温度高くするようにした場合、土鍋など調理容器の熱伝達率が低い場合や、調理容器内の調理物がカレーなどのように、粘度が高く流動性の低いものである場合などにも、グリルバーナ燃焼後の余熱による誤判定（調理容器内の調理物の温度が沸騰などの温度平衡状態であるにも関わらず、平衡状態ではないと判定してしまうこと）を防止して、調理物の焦げ付きを確実に防止しつつ、効率のよい調理を行うことができる。
【００２２】
また、本発明の請求項３の加熱調理器によれば、(ａ)焦げ付き防止措置開始温度を「最新の平衡検出温度＋所定温度」とし、調理物が焦げ付き防止措置開始温度に達した時点で焦げ付き防止措置を実行する一方、(ｂ)「今回の平衡検出温度＞前回の平衡検出温度」の条件が所定回数連続して成立した場合において、(イ)「最新の平衡検出温度＋所定温度」の式により求められる焦げ付き防止措置開始温度が、所定の限界温度以上である場合には、限界温度を焦げ付き防止措置開始温度とし、(ロ)「最新の平衡検出温度＋所定温度」の式により求められる焦げ付き防止措置開始温度が、所定の限界温度未満である場合には、「最新の平衡検出温度＋所定温度」の式により求められる温度を焦げ付き防止措置開始温度とし、調理物が焦げ付き防止措置開始温度に達した時点で焦げ付き防止措置を実行するようにしているので、調理物が通常の煮物のようなものである場合には、調理の進行状態に応じた適切な温度を焦げ付き防止措置開始温度として焦げ付きのない確実な調理を行うことが可能になるとともに、調理物がカレーなどのように、粘度が高く、平衡検出温度が時間の経過とともに徐々に上昇するものである場合にも、調理物が焦げ付くことを防止しつつ、効率のよい調理を行うことができる。
すなわち、カレーなどのように粘度が高く、平衡検出温度が時間の経過とともに徐々に上昇するような調理物を調理する場合には、平衡検出温度に所定値を加えた温度を焦げ付き防止措置開始温度とするのではなく、焦げ付き防止のための停止温度を予め定めた所定の値（本実施例では１５０℃）とすることにより、繰返し更新される平衡検出温度の上昇に伴い、焦げ付き防止のための停止温度が高すぎる値に設定されることに起因する焦げ付きの発生を防止することができる。
【００２３】
また、本発明の請求項４の加熱調理器のように、平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには所定の限界温度を第１の限界温度に設定し、平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには所定の限界温度を第１の限界温度より高い第２の限界温度に設定するようにした場合、バーナの燃焼の熱影響に起因する誤判定（すなわち、例えば土鍋のように熱伝導率の低い材料からなる鍋を用いて通常の煮物などの調理を行っている場合において調理物の焦げ付きが生じていないにもかかわらず、カレーなどの粘度が高く流動性の低い調理物を調理する場合に適用されるべき条件が適用されてしまうこと）により、調理物の焦げ付きが生じていない段階で、バーナの燃焼が停止されてしまうというような、いわゆる、早切れの発生を防止しつつ、調理物がカレーなどの粘度が高く流動性の低いものである場合および通常の煮物などである場合のいずれの場合においても焦げ付きの発生を確実に防止して、効率のよい調理を行うことが可能になる。
【００２４】
また、本発明の請求項５の加熱調理器のように、グリルバーナを備え、該グリルバーナが燃焼していないときには所定の限界温度を第１の限界温度に設定し、該グリルバーナが燃焼しているときであって平衡検出温度が更新される毎の平衡検出温度の増加幅が増加する「（前回の平衡検出温度−前々回の平衡検出温度）＜（今回の平衡検出温度−前回の平衡検出温度）」の条件が成立するときには所定の限界温度を第１の限界温度に設定し、該グリルバーナが燃焼しているときであって平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには所定の限界温度を第１の限界温度より高い第２の限界温度に設定するようにした場合、グリルバーナの燃焼の影響で、例えば土鍋のように熱伝導率の低い材料からなる鍋を用いて通常の煮物などの調理を行っている場合において調理物の焦げ付きが生じていないにもかかわらず、カレーなどの粘度が高く流動性が低い調理物を調理する場合に適用すべき条件が適用されてしまい、調理物の焦げ付きが生じていない段階で、バーナの燃焼が停止されてしまうというような、いわゆる、早切れの発生を防止しつつ、調理物の種類を問わず、焦げ付きの発生を確実に防止して、効率のよい調理を行うことが可能になる。
【００２５】
また、本発明の請求項６の加熱調理器のように、グリルバーナが燃焼していないときであっても、グリルバーナが所定時間以上燃焼した後におけるグリルバーナ消火直後の所定時間の間に、平衡検出温度が更新される毎の平衡検出温度の増加幅が増加しない「（前回の平衡検出温度−前々回の平衡検出温度）≧（今回の平衡検出温度−前回の平衡検出温度）」の条件が成立するときには、所定の限界温度を第１の限界温度より高い第２の限界温度に設定するようにしているので、例えば土鍋などの熱伝導率の低い調理容器を用いて低粘度で流動性の良好な調理物を調理する場合などにおける、いわゆる早切れの発生を防止しつつ、焦げ付きの発生を確実に防止して、効率のよい調理を行うことが可能になる。
【図面の簡単な説明】
【００２６】
【図１】本発明の一実施例（実施例１）にかかるグリル付きガスこんろの外観構成を示す図である。
【図２】(ａ)，(ｂ)，(ｃ)は、本発明の実施例にかかるグリル付きガスこんろのバーナ操作部の操作方法を示す図である。
【図３】(ａ)，(ｂ)，(ｃ)は、本発明の実施例にかかるグリル付きガスこんろのバーナ操作部の操作方法を示す図である。
【図４】(ａ)，(ｂ)は本発明の実施例にかかるグリル付きガスこんろの、標準バーナ用の付加機能操作・表示部の操作・表示位置への移行前および移行後の状態を示す図である。
【図５】本発明の実施例にかかるグリル付きガスこんろの、標準バーナ用の付加機能操作・表示部の構成を示す図である。
【図６】(ａ)，(ｂ)は本発明の実施例にかかるグリル付きガスこんろの、グリル用の付加機能操作・表示部の操作・表示位置への移行前および移行後の状態を示す図である。
【図７】本発明の実施例にかかるグリル付きガスこんろの、グリル用の付加機能操作・表示部の構成を示す図である。
【図８】本発明の実施例にかかるグリル付きガスこんろの構成を示す図である。
【図９Ａ】本発明の実施例にかかるグリル付きガスこんろの平衡検出と、平衡検出温度および焦げ付き防止措置開始温度（消火温度）を説明するためのタイムチャートであって、グリルバーナの同時燃焼がない場合において、カレーモードに移行する流れなどを説明するものである。
【図９Ｂ】本発明の実施例にかかるグリル付きガスこんろの平衡検出と、平衡検出温度および焦げ付き防止措置開始温度（消火温度）を説明するためのタイムチャートであって、グリルバーナの同時燃焼がある場合において、カレーモードに移行する流れなどを説明するものである。
【図９Ｃ】本発明の実施例にかかるグリル付きガスこんろの平衡検出と、平衡検出温度および焦げ付き防止措置開始温度（消火温度）を説明するためのタイムチャートであって、グリルバーナの同時燃焼がある場合において、土鍋モードに移行する流れを説明するものである。
【図１０Ａ】本発明の実施例にかかるグリル付きガスこんろの焦げ付き防止動作を説明するためのフローチャートである。
【図１０Ｂ】本発明の実施例にかかるグリル付きガスこんろの焦げ付き防止動作を説明するためのフローチャートであって、カレーモード判定１（サブルーチン）を説明するものである。
【図１０Ｃ】本発明の実施例にかかるグリル付きガスこんろの焦げ付き防止動作を説明するためのフローチャートであって、カレーモード判定２（サブルーチン）を説明するものである。
【発明を実施するための形態】
【００２７】
以下、本発明の実施例を示して、その特徴とするところをさらに詳しく説明する。
【実施例１】
【００２８】
(１)加熱調理器の基本構造
図１〜８は本発明の実施例にかかる加熱調理器（グリル付きガスこんろ）の構成を示す図である。
【００２９】
このグリル付きガスこんろは、図１に示すように、標準バーナ１ａ、高火力バーナ１ｂ、および小バーナ１ｃの３つのこんろバーナを備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００３０】
そして、標準バーナ１ａには、被加熱物（例えば、調理容器である鍋の底）に接触してその温度を検出するためのサーミスタからなる温度センサ（鍋底温度センサ）９が，標準バーナ１ａの中央を貫通するように配設されている。
なお、この温度センサ９を備えた標準バーナ１ａにより、炊飯、湯沸かし、揚げものなどの温調調理を行うことが可能である。
【００３１】
また、グリル部４は、前面部が開口した箱状に形成されたグリル庫内に、魚などの被調理物を載置するための載置部として機能する焼き網を設けて構成されている。また、グリル庫内には、１つの上側バーナ２ａ（図８参照）と２つの下側バーナ２ｂ，２ｃ（図８参照）が配設されている。
【００３２】
さらに、ガスこんろの前側面には、上述のこんろバーナとグリルバーナの点火および消火、火力調節と各種の設定とを指令する手動操作部３４（図１，図４，図５など）が設けられている。
【００３３】
また、このガスこんろは、マイクロコンピュータ（図示せず）を備えており、各種の制御を実行するように構成された制御部（図示せず）を備えている。制御部は、手動操作部３４にて指令された指令情報に基づいて、こんろバーナ及びグリルバーナの燃焼状態などを制御するように構成されている。
また、ガスこんろ前側面には、自動復帰型の押し操作式の電源スイッチ２４が設けられている。
【００３４】
上記手動操作部３４は、図４〜図７に示すように、こんろバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（上側バーナ２ａと２つの下側バーナ２ｂ，２ｃ）の火力調節などを行うグリルバーナ操作部２２、グリルバーナの作動状態の切り換えを指令するグリル用の付加機能操作・表示部３３（図７）などを備えている。
【００３５】
なお、器具本体１０の前面右上に配置された電源スイッチ２４をＯＮにして電源ランプ２５が点灯した後に、図２(ａ)に示すように、上記標準バーナ操作部２１ａ、高火力バーナ操作部２１ｂ、および小バーナ操作部２１ｃを押し込み操作することにより、標準バーナ１ａ、高火力バーナ１ｂ、および小バーナ１ｃが点火するとともに、図２(ｂ)に示すように、各バーナ操作部２１ａ，２１ｂ，２１ｃが内部から飛び出して、火力調節を行うことができるように構成されている。
なお、各バーナ１ａ，１ｂ，１ｃに点火した場合には、図２(ｃ)に示すように、燃焼表示ランプ２３が点灯して、点火を確認することができるように構成されている。
【００３６】
また、図３(ａ)に示すように、各バーナ操作部２１ａ，２１ｂ，２１ｃを再度押し込むことにより、各バーナ１ａ，１ｂ，１ｃの消火動作が実行されるとともに、図３(ｂ)に示すように、各バーナ操作部２１ａ，２１ｂ，２１ｃが器具本体１０の内部に収納されるように構成されている。
なお、各バーナ１ａ，１ｂ，１ｃの消火動作が終わった場合には、図３(ｃ)に示すように、燃焼表示ランプ２３が消灯して、消火を確認することができるように構成されている。
【００３７】
さらに、グリルバーナ操作部２２についても、同様に、グリルバーナ操作部２２を再度押し込むことにより、消火動作が実行されるとともに、グリルバーナ操作部２２が器具本体１０の内部に収納されるように構成されている。
【００３８】
また、図１，図４(ａ)，(ｂ)に示すように、器具本体１０の前面の、標準バーナ１ａの位置する側である左側の下部には、使用しない時には器具本体１０の内部に収納され、使用時には操作・表示位置に移行するように構成された、標準バーナ１ａの温調機能（湯沸し、揚げ物、炊飯）とタイマー機能についての操作および表示を行う標準バーナ用の付加機能操作・表示部３２が配設されている。なお、標準バーナ用の付加機能操作・表示部３２（図５参照）は、いわゆるカンガルーポケット機構により、使用時には前・下側に回動して操作および表示が可能な操作・表示位置に移行でき（図４(ｂ)参照）、使用しない時には、図４(ａ)に示すように、器具本体１０の内部に保持できるように構成されている。
【００３９】
さらに、図１，図６に示すように、器具本体１０の前面の右側下部には、使用しない時には器具本体１０の内部に収納され、使用時には操作・表示位置に移行できるように構成された、グリルバーナのオート調理機能（メニュー、焼き加減）とタイマー機能についての操作および表示を行うグリル用の付加機能操作・表示部３３（図７参照）が配設されている。なお、グリル用の付加機能操作・表示部３３は、上述の標準バーナ用の付加機能操作・表示部３２と同様に、いわゆるカンガルーポケット機構により、使用時には前・下側に回動して操作および表示が可能な操作・表示位置に移行でき、使用しない時には器具本体１０の内部に保持できるように構成されている（図６参照）。
【００４０】
また、図８に示すように、標準バーナ１ａ、高火力バーナ１ｂ、小バーナ１ｃの夫々には、点火作動を実行する点火装置としての点火プラグ７及び着火状態を検出するための熱電対８が設けられ、グリルバーナにおけるバーナ（上側バーナ２ａ、下側バーナ２ｂ，２ｃ）の夫々にも、点火作動を実行する点火装置としての点火プラグ７及び着火状態を検出するための熱電対８が設けられている。
【００４１】
こんろバーナ及びグリルバーナへのガス供給に関する構成は以下のとおりである。
元ガス供給路（主ガス配管）１１に元ガス電磁弁１２が設けられ、この元ガス供給路１１から、標準バーナ用分岐路１３ａ、高火力バーナ用分岐路１３ｂ、小バーナ用分岐路１３ｃ、グリルバーナ用分岐路１３ｄに分岐されている。
これらの各分岐路の夫々には、ガス量を調整して各バーナの加熱量を調整する流量制御弁（ステッピングモータにより駆動されるガス量調節弁）３と、その開度位置を検出する位置センサ１９が設けられている。
【００４２】
加熱状態調節部２１（２１ａ、２１ｂ、２１ｃ）が器具本体１０の前面から突出した燃焼状態（図２（ｂ）参照）で、加熱状態調節部２１（２１ａ，２１ｂ，２１ｃ）を指で摘んで回動操作するとこれがロータリーエンコーダ（図示せず）により検出され、制御部に入力される。
【００４３】
制御部は、ロータリーエンコーダからの信号に応じ、ステッピングモータを駆動することによりこんろ部のガス量を制御する。
なお、炊飯モード、湯わかしモードなどの温調制御を行うときは、加熱状態調節部２１（２１ａ，２１ｂ，２１ｃ）の回動操作位置によらず、制御に適した値となるようにこんろ部のガス量が制御される。
また、流量制御弁３は、調整流量を零にする遮蔽状態にも切り換え可能に構成されている。
【００４４】
なお、この実施例のガスこんろでは、上記のようにステッピングモータにより駆動されるガス量調節弁が設けられているが、機械式にガス量制御される場合も、機械式の手動ガス量調節弁と直列にガス量制限のためのガス電磁弁を装備することにより、後述の各モード処理の実行が可能である。
ただし、機械式の手動ガス量調節弁を用いる場合は、各モード実行の前に、使用者が手動調節弁を最大ガス量位置に調節しておくことにより確実な制御が実行される。
【００４５】
なお、ステッピングモータにより駆動されるガス量調節弁が設けられている場合は、各モード実行時のガス量調節位置に関わらず、制御部は、最小から最大の範囲で任意のガス量に制御することが可能であることから、各モード実行の前の使用者による最大ガス量位置への調節の必要はない。
【００４６】
次に、この実施例のガスこんろの標準バーナを用いて調理を行う場合の、焦げ付き防止の動作について、図９Ａ，図９Ｂ，図９Ｃ及び図１０Ａ，図１０Ｂ，図１０Ｃを参照しつつ説明する。なお、図９Ａ，図９Ｂ，図９Ｃは、この実施例にかかるグリル付きガスこんろの平衡検出と、平衡検出温度および焦げ付き防止措置開始温度（消火温度）を説明するためのタイムチャートである。また、図１０Ａ，図１０Ｂ，図１０Ｃは、焦げ付き防止動作を説明するためのフローチャートである。
【００４７】
＜平衡温度の検出と焦げ付きの未然の防止＞
ガスこんろにより調理を行う場合において、ガスこんろにより調理物（具体的には、鍋などの調理容器に入れられた調理すべき食材）の加熱を開始する。
【００４８】
そして、調理容器の底部の温度（検出温度）が７０℃に達した時点Ａ（図９Ａ参照）から平衡検出判定を開始する。
なお、図１０Ａのフローチャートでは、検出温度が７０℃に達した時点の状態を平衡不検出状態として制御を開始する。
すなわち、制御部は、標準バーナにて調理容器を加熱しているときに、温度センサが７０℃以上かどうかを判断する（図１０Ａ：ステップ＃０１）。
【００４９】
温度センサが７０℃以上であれば、焦げ付きを未然に防止するための措置を開始する基準温度である焦げ付き防止措置開始温度（図９Ａ〜Ｃでは焦げ付き消火温度）を本発明における第２の限界温度である２００℃に仮設定（ステップ＃０２）した後、温度が１５０℃以上であるかを判断する（ステップ＃０３）。
【００５０】
なお、この実施例では、焦げ付き防止措置として、標準バーナの燃焼を停止して消火するようにしているので、焦げ付き防止措置は「消火」であり、焦げ付き防止措置開始温度は「消火温度」となる。
ただし、焦げ付き防止措置は，消火に限られるものではなく、燃料供給量を絞ってバーナの燃焼（加熱）を抑制したり、種火だけにしたりする方法などを焦げ付き防止措置として実行することも可能である。
【００５１】
なお、温度が１５０℃以上であれば油もの処理を実行し消火温度を２７０℃に設定する（ステップ＃１２）。ただし、ここでは、油もの処理についての詳細な説明は省略する。
【００５２】
そして、ステップ＃０３で温度が１５０℃に達していなければ、平衡検出した平衡検出状態であるか（すなわち、時間に対する温度センサの温度上昇率（変化率）が所定値以下になり、温度変化がない状態であるか）どうかを判断する（ステップ＃０４）。
【００５３】
この実施例では、平衡検出は、具体的には、平衡検出の判定を開始してからの経過時間を１５秒毎の平衡検出時間に区切り（図９Ａなど参照）、「平衡検出時間の終了時点の検出温度−平衡検出時間の開始時点の検出温度」の値Ｖが、「−３℃≦Ｖ≦＋３℃」の要件を満たすとき（グリルバーナ非燃焼時）、平衡検出したと見なし、平衡検出時点の検出温度を平衡検出温度としている。
ただし、グリルバーナが燃焼している場合には上記の平衡検出時間の終了時点の検出温度−平衡検出時間の開始時点の検出温度の値Ｖが、「−３℃≦Ｖ≦＋５℃」の要件を満たすときに平衡検出したと見なし、その平衡検出時点の検出温度を平衡検出温度とする。グリルバーナ燃焼時には、グリルバーナ燃焼による熱の影響により、鍋底温度センサによる検出温度が、グリルバーナが燃焼していないときに比べ多少上昇傾向にあることを見越して、鍋底温度センサによる検出温度がやや上昇傾向にある場合にも調理容器内の調理物の温度が沸騰などの温度平衡状態である、と判定しグリルバーナ燃焼熱による誤判定（調理容器内の調理物の温度が沸騰などの温度平衡状態であるにも関わらず、平衡状態ではないと判定してしまうこと）を防止するようにしている。
なお、１５秒毎の上記平衡検出したかどうかの判定は、当該こんろバーナの燃焼中において繰返し継続して行われ、平衡検出したときには、平衡検出温度は最新の平衡検出時点の検出温度に更新される。
【００５４】
また、この実施例では、平衡検出時間の終了時点の検出温度を平衡検出温度としているが、平衡検出時間の開始時点の検出温度を平衡検出温度としてもよい。
【００５５】
図９Ａの、調理時間（経過時間）を示す横軸におけるＡの時点から、その７５秒後の時点までの間は平衡不検出状態であり、繰り返し平衡検出したかどうかの判定が行われる（図１０Ａ：ステップ＃０４）。
【００５６】
平衡検出していない場合で、温度センサ（鍋底温度センサ）の温度が焦げ付き防止措置開始温度未満であれば、ステップ＃０３に戻り、温度センサ（鍋底温度センサ）の温度が焦げ付き防止措置開始温度以上であれば、燃焼を停止する（ステップ＃１３，ステップ＃１０）。  
【００５７】
ステップ＃０４で平衡検出すると、状態を平衡検出状態に変更し、焦げ付きを未然に防止するための基準温度である焦げ付き防止措置開始温度が、Ｔｃ＝最新の（１回目の平衡検出の場合は１回目の）平衡検出温度＋所定温度（この実施例では２０℃）、に設定される（ステップ＃０５）。
図９Ａは、調理時間がＡ＋７５秒の時点で、平衡検出したと判定された場合を示している。
【００５８】
その後、温度センサの温度が７０℃以下かどうかがチェックされる（ステップ＃０８）。温度降下がなく、温度センサの検出温度が焦げ付き防止措置開始温度に達すると、こんろバーナの燃焼を停止する（ステップ＃０９，ステップ＃１０）。
【００５９】
ステップ＃０９において、温度センサの検出温度が焦げ付き防止措置開始温度未満であれば、ステップ＃０４に戻り、新たな平衡検出の有無がチェックされる。
【００６０】
＜平衡温度検出後に温度降下があった場合の処理＞
平衡温度の検出後に温度降下があった場合で、温度が７０℃以下になった場合には焦げ付き防止措置開始温度を一旦クリアし、焦げ付き防止制御を再スタートする（ステップ＃０８、ステップ＃１１）。
【００６１】
(２)本発明の加熱調理器の特徴的構成
以下、本発明の特徴的な構成を，図９Ａ〜Ｃ，図１０Ａ〜Ｃを参照しつつ説明する。
【００６２】
＜カレーモードの判定１（グリルバーナの同時使用なしのとき）＞
標準バーナによる加熱時において、グリルバーナが燃焼状態であるかどうかの判定を行い（ステップ＃０６）、標準バーナによる加熱と同時にグリルバーナが燃焼状態にない場合は以下の制御（カレーモード判定１）を行う（ステップ＃０７）。なお、カレーモード判定１のサブルーチンの流れについては図１０Ｂを参照。
【００６３】
すなわち、ここでは、調理物がカレーなどの高粘度で流動性が低いものであるか、通常の煮物などの調理物であるかを判定するために、平衡検出温度が高粘度判定用平衡検出温度（この実施例１では１３０℃）以上であるかどうかの判定を行う（図１０Ｂ：ステップ＃１０１））。
【００６４】
平衡検出温度が高粘度判定用平衡検出温度（この実施例では１３０℃）未満の場合は、焦げ付き防止措置開始温度（焦げ付き防止のための燃焼の停止温度）が、Ｔｃ＝最新（１回目の平衡検出の場合は１回目）の平衡検出温度＋２０℃に維持され、リターンしてステップ＃０８に戻る。
【００６５】
一方、平衡検出温度が高粘度判定用平衡検出温度（例えば１３０℃）以上の場合、今回の平衡検出状態となった後、繰り返し平衡検出したかどうかの判定を行い（ステップ＃１０２）、平衡検出状態となった後に２回以上繰り返して平衡検出していないときは、リターンしてステップ＃０８に戻る。
【００６６】
２回以上繰り返して平衡検出したと判定されたときには、今回の平衡検出温度と前回の平衡検出温度を比較し、今回の平衡検出温度＞前回の平衡検出温度となる状態が３回以上連続しているという判定条件（以下、カレーモード条件）を満たすかどうかの判定を行う（図１０Ｂ：ステップ＃１０３）（図９Ａ参照）。
【００６７】
今回の「平衡検出温度＞前回の平衡検出温度」の条件が３回以上連続して成立（３回前の平衡検出温度＜２回前の平衡検出温度＜１回前の平衡検出温度＜今回の平衡検出温度が成立）したときは、平衡検出したと判定されている状態でありながら平衡検出温度が徐々に増加する、調理容器内の調理物の粘度が高い状態である“カレーモード”に移行し、焦げ付き防止措置開始温度が、Ｔｃ＝１５０℃（高粘度調理物用焦げ付き防止措置開始温度）（第１の限界温度）に設定される（ステップ＃１０４）（図９Ａ参照）。
なお、高粘度調理物用焦げ付き防止措置開始温度（第１の限界温度）は、平衡検出温度が更新されても、更新後の平衡検出温度に関わらずその値（第１の限界温度である１５０℃）を維持する。
【００６８】
ステップ＃１０３において、今回の平衡検出温度＞前回の平衡検出温度が３回以上連続して成立しない（３回前の平衡検出温度＜２回前の平衡検出温度＜１回前の平衡検出温度＜今回の平衡検出温度が成立しない）場合、すなわち、３回の判定の内、途中に１回でも、今回の平衡検出温度≦前回の平衡検出温度の状態になったときは、Ｔｃ＝最新の平衡検出温度＋２０℃とし（ステップ＃１０８）（図９Ａ）、リターンしてステップ＃０８に戻る。
すなわち、ステップ＃１０８で、Ｔｃ＝最新の平衡検出温度＋２０℃としているが、“カレーモード”に移行した場合にも、焦げ付き防止措置開始温度が、Ｔｃ＝１５０℃に設定される前（最新の平衡検出温度が１３０℃以上になる前）であれば、Ｔｃ＝最新の平衡検出温度＋２０℃を維持する。
すなわち、ステップ＃１０８ではＴｃ＝最新の平衡検出温度＋２０℃としているが、“カレーモード”に移行することにより焦げ付き防止措置開始温度がＴｃ＝１５０℃に設定される前（“カレーモード”に移行しなかった場合）には、Ｔｃ＝最新の平衡検出温度＋２０℃を維持することになる。
【００６９】
上記カレーモード条件を満たした後も、平衡検出温度が高粘度判定用平衡検出温度（例えば１３０℃）以上であるかどうかの判定を行い（ステップ＃１０５）、平衡検出温度が高粘度判定用平衡検出温度（例えば１３０℃）以上の場合、温度センサ（鍋底温度センサ）の温度が焦げ付き防止措置開始温度以上かどうかの判定を行う（ステップ＃１０６）
【００７０】
ステップ＃１０５において平衡検出温度が高粘度判定用平衡検出温度（例えば１３０℃）未満の場合は、ステップ＃１０８で、Ｔｃ＝最新の平衡検出温度＋２０℃に設定され、リターンしてステップ＃０８に戻る。
【００７１】
ステップ＃１０６において、温度センサ（鍋底温度センサ）の温度が焦げ付き防止措置開始温度以上であれば、燃焼を停止する（ステップ＃１０７）（図９Ａ）。  
【００７２】
ステップ＃１０６において、温度センサ（鍋底温度センサ）の温度が焦げ付き防止措置開始温度未満であれば、ステップ＃１０３に戻る。
【００７３】
上記カレーモード条件を満たし、焦げ付き防止措置開始温度が、一旦、Ｔｃ＝１５０℃に設定され後であっても、ステップ＃１０３において、今回の平衡検出温度＞前回の平衡検出温度が３回以上連続して成立しない（カレーモード条件を満たさない）ときは、ステップ＃１０８で、Ｔｃ＝最新の平衡検出温度＋２０℃に設定され、リターンしてステップ＃０８に戻る。
【００７４】
平衡検出温度の上昇とともに焦げ付き防止措置開始温度が上昇する通常の焦げ付き防止制御に加え、上記のようにカレーモード判定１を実行し、調理容器内の調理物（カレーなど）の粘度が高く流動性が低い場合においても、平衡検出温度が高粘度判定用平衡検出温度（例えば１３０℃）未満の場合には、それ程高粘度ではなく流動性の良好な通常の煮物調理を行う場合と同様に、焦げ付き防止措置開始温度を平衡検出温度に応じた適度な温度とすることにより、調理容器内の調理物の粘度の高低に関わらず、調理物の水分の蒸発などによる焦げ付きが生じ始めた場合に、焦げ付き防止機能を作動させ、こんろバーナによる加熱を停止させることが可能になり、焦げ付きを防止することができる。
【００７５】
すなわち、この実施例の加熱調理器においては、上記カレーモードにおいて、平衡検出温度が１３０℃未満であると判定されたときや、今回の平衡検出温度＜前回の平衡検出温度が成立したときには、カレーモードから抜け出し、焦げ付き防止措置開始温度は、Ｔｃ＝最新の平衡検出温度＋２０℃に設定されるが、これは、カレーモードにおいて、レードルなどによって調理物の攪拌が行われた場合や調理容器内に水が注がれた場合を想定したものである。
【００７６】
そして、温度センサの検出温度が高粘度判定用平衡検出温度以上で、かつ、平衡検出温度が時間の経過とともに徐々に上昇する場合には、焦げ付き防止措置開始温度を、平衡検出温度に所定値を加えた温度とするのではなく、調理容器内の調理物に焦げ付きが生じやすいと考えられる温度である、予め定めた第１の限界温度（１５０℃）とすることにより、繰返し更新される平衡検出温度の上昇に伴う、焦げ付き防止措置開始温度が高すぎる値に設定されることに起因する、焦げ付きの発生を防止するようにしている。
【００７７】
＜カレーモードの判定２（グリルバーナを同時使用しているとき）＞
グリルバーナ燃焼時において、調理容器として土鍋を用いた場合には、温度センサは、グリルバーナの燃焼による熱の影響を受けることにより、平衡検出温度が徐々に上昇していく傾向にある。
【００７８】
すなわち、グリルバーナ燃焼時に土鍋のような熱伝導率の低いものを調理容器として用いた場合には、調理物が低粘度の煮物であっても、温度センサがグリルバーナの燃焼による熱の影響を受け、平衡検出温度が徐々に上昇していく傾向が顕著に現れ、平衡検出温度も徐々に上昇する。そのため、グリルバーナ非燃焼時と同じようにカレーモードの判定１を実行すると、平衡検出温度が高粘度判定用平衡検出温度（例えば１３０℃）以上になり、焦げ付き防止措置開始温度が予め定めた所定の値（本発明における第１の限界温度）（本実施例では１５０℃）に設定されてしまい、調理途中で焦げ付き防止機能が作動してしまう、いわゆる、早切れの状態となってしまうことがある。
【００７９】
そこで、この実施例の加熱調理器においては、グリルバーナ燃焼時に，土鍋のような熱伝導率が調理容器を用いているような場合に、焦げ付き防止措置開始温度が予め定めた所定の値（本実施例では、１５０℃（本発明における第１の限界温度））に設定されないようにして、調理途中で焦げ付き防止機能が作動してしまう、いわゆる、早切れの発生を防止して、グリルバーナ非燃焼時とは異なる別の判定，すなわち、カレーモード判定２を実行するようにしている。
【００８０】
標準バーナによる加熱時において、グリルバーナが燃焼状態であるかどうかの判定を行い（図１０Ａ：ステップ＃０６）、標準バーナによる加熱と同時にグリルバーナが燃焼状態にある場合（図１０Ａ：ステップ＃１５）は、以下の制御（カレーモード判定２）を行う。
カレーモード判定２では、まず、平衡検出温度が高粘度判定用平衡検出温度（例えば１３０℃）以上であるかどうかの判定を行う（図１０Ｃ：ステップ＃２０１）。
【００８１】
平衡検出温度が高粘度判定用平衡検出温度（例えば１３０℃）未満の場合は、焦げ付き防止措置開始温度が、Ｔｃ＝最新の（１回目の平衡検出の場合は１回目の）平衡検出温度＋２０℃に維持され、リターンして図１０Ａ：ステップ＃０８に戻る。
【００８２】
平衡検出温度が高粘度判定用平衡検出温度（例えば１３０℃）以上の場合、今回の平衡検出状態となった後、繰り返し平衡検出したかどうかの判定を行い（図１０Ｃ：ステップ＃２０２）、平衡検出状態となった後に２回以上繰り返して平衡検出していないときはリターンして図１０Ａ：ステップ＃０８に戻る。
【００８３】
２回以上繰り返して平衡検出したと判定されたときには、今回の平衡検出温度と前回の平衡検出温度を比較し、「今回の平衡検出温度＞前回の平衡検出温度」となる状態が３回以上連続しているという判定条件（カレーモード条件）を満たすかどうかの判定を行う（図１０Ｃ：ステップ＃２０３）。
【００８４】
「今回の平衡検出温度＞前回の平衡検出温度」が３回以上連続して成立（３回前の平衡検出温度＜２回前の平衡検出温度＜１回前の平衡検出温度＜今回の平衡検出温度が成立）した状態というのは、平衡検出したと判定されている状態でありながら平衡検出温度が徐々に増加する状態である。
【００８５】
そして、この実施例の加熱調理器においては、この状態が、土鍋のように熱伝導率の低い調理容器が用いられている場合であって、土鍋の鍋底（および鍋底に当接する温度センサ）がグリルの熱影響を受けることに起因する現象であるのか、または、調理容器としては熱伝導率の高いものが用いられているが調理容器内の調理物の粘度が高い状態であることに起因する現象であるのかのを判定するために、「（前回の平衡検出温度−前々回の平衡検出温度）≧（今回の平衡検出温度−前回の平衡検出温度）」という判定条件（以下、土鍋モード条件）を満たすかどうかの判定を行う（図１０Ｃ：ステップ＃２０４）。
【００８６】
ステップ＃２０４において、前回の平衡検出温度−前々回の平衡検出温度≧今回の平衡検出温度−前回の平衡検出温度が成立（１回前の平衡検出温度−２回前の平衡検出温度≧今回の平衡検出温度−１回前の平衡検出温度が成立）したときは、土鍋のように熱伝導率の低い材料からなる鍋が調理容器として用いられている場合であると判定し、“土鍋モード”に移行して、焦げ付き防止措置開始温度が、Ｔｃ＝最新の平衡検出温度＋２０℃に設定される（図１０Ｃ：ステップ＃２０６）（図９Ｃ参照）。ただし、Ｔｃは上限を２００℃（本発明における第２の限界温度）とするように設定される。
【００８７】
ステップ＃２０４において、前回の平衡検出温度−前々回の平衡検出温度≧今回の平衡検出温度−前回の平衡検出温度が成立しない（すなわち、１回前の平衡検出温度−２回前の平衡検出温度≧今回の平衡検出温度−１回前の平衡検出温度が成立しない）ときは、調理容器としては熱伝導率の高いものが用いられているが調理容器内の調理物の粘度が高い状態であると判定し、“カレーモード”に移行し、焦げ付き防止措置開始温度が、Ｔｃ＝１５０℃（第１の限界温度である高粘度調理物用焦げ付き防止措置開始温度）に設定される（ステップ＃２０５）（図９Ｂ）。
なお、この高粘度調理物用焦げ付き防止措置開始温度は、平衡検出温度が更新されても、更新後の平衡検出温度に関わらずその値（１５０℃）を維持する（図１０Ｃ：＃２０５）。
【００８８】
ステップ＃２０３において、今回の平衡検出温度＞前回の平衡検出温度が３回以上連続して成立しない（すなわち、３回前の平衡検出温度＜２回前の平衡検出温度＜１回前の平衡検出温度＜今回の平衡検出温度が成立しない）とき（さらにいえば、３回の判定の内、途中に１回でも、今回の平衡検出温度≦前回の平衡検出温度の状態になったとき）は、Ｔｃ＝最新の平衡検出温度＋２０℃とし（図１０Ｃ：ステップ＃２１０）、リターンしてステップ＃０８（図１０Ａ）に戻る。
なお、ステップ＃２１０で、Ｔｃ＝最新の平衡検出温度＋２０℃としているが、これは、“カレーモード”に移行することにより焦げ付き防止措置開始温度がＴｃ＝１５０℃に設定される前（“カレーモード”に移行しなかった場合）には、Ｔｃ＝最新の平衡検出温度＋２０℃を維持する、ということである。
【００８９】
カレーモード条件や土鍋モード条件を満たした後も、検出温度が高粘度判定用平衡検出温度および低熱伝導調理容器判定用平衡検出温度（例えば１３０℃）以上であるかどうかの判定を行い（ステップ＃２０７）、検出温度が上記高粘度判定用平衡検出温度および低熱伝導調理容器判定用平衡検出温度（例えば１３０℃）以上の場合、検出温度が焦げ付き防止措置開始温度以上かどうかの判定を行う（ステップ＃２０８）。
【００９０】
ステップ＃２０７において検出温度が高粘度判定用平衡検出温度および熱伝導調理容器判定用平衡検出温度（例えば１３０℃）未満の場合は、ステップ＃２１０で、Ｔｃ＝最新の平衡検出温度＋２０℃に設定（土鍋モード条件を満たしている場合はＴｃ＝最新の平衡検出温度＋２０℃を維持）され、リターンしてステップ＃０８に戻る。
【００９１】
ステップ＃２０８において、温度センサ（鍋底温度センサ）の検出温度が焦げ付き防止措置開始温度以上であれば、燃焼を停止する（ステップ＃２０９）。
ステップ＃２０８において、温度センサ（鍋底温度センサ）の検出温度が焦げ付き防止措置開始温度未満であれば、ステップ＃２０３に戻る。
【００９２】
カレーモード条件や土鍋モード条件を満たした後であっても、ステップ＃２０３において、今回の平衡検出温度＞前回の平衡検出温度が３回以上連続して成立しない（カレーモード条件を満たさない）ときは、ステップ＃２１０で、Ｔｃ＝最新の平衡検出温度＋２０℃に設定され、リターンしてステップ＃０８に戻る。    なお、ステップ＃２１０で、Ｔｃ＝最新の平衡検出温度＋２０℃としているが、これは、“カレーモード”に移行した後でも、焦げ付き防止措置開始温度が、Ｔｃ＝１５０℃に設定される前であれば、Ｔｃ＝最新の平衡検出温度＋２０℃を維持する、ということである。
なお、ステップ＃２１０で、Ｔｃ＝最新の平衡検出温度＋２０℃としているが、これは、“カレーモード”に移行することにより焦げ付き防止措置開始温度がＴｃ＝１５０℃に設定される前（“カレーモード”に移行しなかった場合）には、Ｔｃ＝最新の平衡検出温度＋２０℃を維持する、ということである。
【００９３】
土鍋モードにおいても、もし、焦げ付きが生じ始めた場合は、温度が上昇して平衡検出は行われないことから、焦げ付き防止措置開始温度が変更されず、直前の焦げ付き防止措置開始温度が維持され、焦げ付き前の前兆による温度の上昇があった場合には燃焼が停止する（図９Ｃ）。
【００９４】
上記実施例の加熱調理器の構成、動作、作用効果をまとめて説明すると以下のようになる。
この実施例の加熱調理器では、上述のように、グリルバーナを同時使用しているときには、平衡検出温度の上昇とともに、焦げ付き防止措置開始温度が上昇する通常の焦げ付き防止制御に加え、上記のようにカレーモード判定２を実行し、調理容器内の調理物がカレーなどの粘度が高く流動性が低い場合においても、平衡検出温度が高粘度判定用平衡検出温度（例えば１３０℃）未満の場合には通常の、粘度がそれ程高くなく流動性の良好な煮物調理を行う場合と同様に、焦げ付き防止措置開始温度を平衡検出温度に応じた適度な温度とするようにしているので、調理容器内の調理物の粘度の高低に関わらず、調理物の水分の蒸発などによる焦げ付きが生じ始めた場合には、焦げ付き防止機能が働くことにより、こんろバーナによる加熱を停止させて焦げ付きを防止することができる。
【００９５】
また、温度センサの検出温度が高粘度判定用平衡検出温度（例えば１３０℃）以上では、平衡検出温度に所定値を加えた温度を焦げ付き防止措置開始温度とするのではなく、予め定めた所定の値（本実施例では、１５０℃）とするようにしているので、繰返し更新される平衡検出温度の上昇に伴い、焦げ付き防止措置開始温度が高すぎる値に設定されることに起因する焦げ付きを防止することができる。
【００９６】
さらに、この実施例の加熱調理器においては、(ａ)調理容器内の調理物（カレー）の粘度が高く、流動性が低い場合と、(ｂ)土鍋などの熱伝導率の低い調理容器が用いられており、この土鍋などの鍋底（および鍋底に当接する温度センサ）がグリルバーナ燃焼による熱影響を受け、温度センサの検出値に基づく平衡検出温度が徐々に増加を続ける場合とを区別することができるようにして、早切れの発生を防止しつつ、焦げ付きを防止して，効率のよい調理を行うことができる。
【００９７】
すなわち、熱伝導率の低い調理容器の鍋底（および鍋底に当接する温度センサ）がグリルバーナ燃焼による熱影響を受け、平衡検出温度が更新される毎の平衡検出温度が徐々に増加する場合であっても、平衡検出温度が更新される毎の、平衡検出温度の増加幅が増加しないとき（前回の平衡検出温度−前々回の平衡検出温度≧今回の平衡検出温度−前回の平衡検出温度が成立するとき）には、調理容器内の調理物（カレー）の粘度が高く流動性が低いのではなく、土鍋のように熱伝導率の低い調理容器が用いられており、この土鍋などの鍋底（および鍋底に当接する温度センサ）がグリルバーナ燃焼による熱影響を受け、温度センサの検出値に基づく平衡検出温度が徐々に増加を続けていると判断する。
【００９８】
そして、土鍋など熱伝導率の低い調理容器の鍋底（および鍋底に当接する温度センサ）がグリルバーナ燃焼による熱影響を受けているときには、焦げ付き防止のための停止温度を予め定めた所定の値（本実施例の第１の限界温度である１５０℃）とするのではなく、焦げ付き防止措置開始温度を更新された最新の平衡検出温度に所定値（実施例では２０℃）を加えた土鍋モード用停止温度とし、温度センサによる検出温度がこの土鍋モード用停止温度（最新の平衡検出温度＋２０℃，あるいは、第２の限界温度である２００℃）以上になったときに燃焼を停止するようにしているので、土鍋のように熱伝導率の低い材質の鍋が調理容器として用いられている場合に調理物の焦げ付きが生じていないにも関わらず、こんろバーナによる加熱が停止されてしまう、いわゆる、早切れ（不要な、加熱の停止）の発生を防止することができる。
【００９９】
［変形例］
(１)変形例１
上記実施例１では、温度センサを備えるこんろ部において平衡検出したかどうかの判定を、  (ａ)こんろ部と同時にグリルを使用していないときには、平衡検出の判定を開始してからの経過時間を１５秒毎の平衡検出時間に区切り、平衡検出時間の終了時点の検出温度−平衡検出時間の開始時点の検出温度の値Ｖが、「−３℃≦Ｖ≦＋３℃」の要件を満たすとき（グリル非燃焼時）、平衡検出したと見なして、平衡検出時点の検出温度を平衡検出温度とし、  (ｂ)該こんろ部と同時にグリルを使用（グリルバーナが燃焼）しているときには、上記の平衡検出時間の終了時点の検出温度−平衡検出時間の開始時点の検出温度の値Ｖが、「−３℃≦Ｖ≦＋５℃」の要件を満たすときに平衡検出したと見なし、その平衡検出時点の検出温度を平衡検出温度とする
ようにしている。
これに対し、グリルバーナの消火直後の所定時間における焦げ付き防止措置開始温度の設定を以下のようにすることにより、さらに効率がよく信頼性の高い加熱調理を行うことが可能になる。
【０１００】
すなわち、こんろ部と同時にグリルを使用（グリルバーナが燃焼）している場合に加え、グリルバーナが所定時間（例えば５分間）以上燃焼した後におけるグリルバーナ消火直後の所定時間（例えば１分間）の間も、上記の平衡検出時間の終了時点の検出温度−平衡検出時間の開始時点の検出温度の値Ｖが、「−３℃≦Ｖ≦＋５℃」の要件を満たすときに平衡検出したと見なし、その時点の検出温度を平衡検出温度とし、平衡検出を判定するための温度変化幅Ｖに関する判定要件の上限を、こんろ部と同時にグリルを使用していないときに比べて所定温度（例えば２℃）高めにして行うことにより、グリルバーナ燃焼後の余熱による誤判定（調理容器内の調理物の温度が沸騰などの温度平衡状態であるにも関わらず、平衡状態ではないと判定してしまうこと）を防止することが可能になり、さらに確実に焦げ付きを防止しつつ、効率のよい調理を行うことができる。
【０１０１】
(２)変形例２
また、上記実施例１では、温度センサを備えるこんろ部で調理している際に、同時にグリルを使用（グリルバーナが燃焼）しているときには、カレーモード判定２を実行し、そこで土鍋条件を満たすときには“カレーモード”には移行せず“土鍋モード”に移行するように構成し、焦げ付き防止措置開始温度がＴｃ＝最新の平衡検出温度＋２０℃に設定されるようにしているが、これに対し、グリルバーナの消火直後の所定時間における焦げ付き防止措置開始温度の設定を以下のようにすることにより、さらに効率がよく信頼性の高い加熱調理を行うことが可能になる。
【０１０２】
すなわち、こんろ部と同時にグリルを使用（グリルバーナが燃焼）しているときに加え、グリルバーナが所定時間（例えば５分）以上燃焼した後におけるグリルバーナ消火直後の所定時間（例えば１分）の間も、カレーモード判定２を実行して土鍋条件を満たすときには“カレーモード”には移行せず“土鍋モード”に移行するように構成し、焦げ付き防止措置開始温度がＴｃ＝最新の平衡検出温度＋２０℃に設定されるようにする。これにより、グリルバーナ燃焼後の余熱による誤判定（土鍋のように熱伝導率の低い材質の鍋が調理容器として用いられている場合に調理物の焦げ付きが生じていないにも関わらず、調理容器内の調理物（カレー）の粘度が高く流動性が低い場合に適用すべき焦げ付き防止用の措置が適用される）ことにより、調理物の焦げ付きが生じていないにも関わらずこんろバーナによる加熱が停止されてしまう、いわゆる、早切れ（不要な、加熱の停止）を防止しつつ、焦げ付きの発生のない効率のよい調理を行うことができる。
【０１０３】
(３)変形例３
上記実施例では、温度センサを備えるこんろ部と同時にグリルを使用（グリルバーナが燃焼）しているときには、カレーモード判定２を実行して土鍋条件を満たすときには“カレーモード”には移行せず“土鍋モード”に移行するように構成しているが、グリルを使用（グリルバーナが燃焼）していないときであっても土鍋条件を満たすときには“カレーモード”には移行せず“土鍋モード”に移行するように構成することも可能である。
【０１０４】
このように構成することにより、温度センサを備えたこんろバーナの燃焼による熱が該温度センサに対して加わることによる影響がある場合に、こんろ用バーナの燃焼による熱影響に起因する誤判定、すなわち、土鍋のように熱伝導率の低い調理容器として用いられている場合に調理物の焦げ付きが生じていないにも関わらず、調理容器内の調理物（例えばカレー）の粘度が高く、流動性が低い場合に適用すべき焦げ付き防止用の措置が誤って適用されてしまうことにより、調理物の焦げ付きが生じていないにも関わらずこんろバーナによる加熱が停止されてしまう、いわゆる、早切れ（不要な、加熱の停止）を効率よく防止することができる。
【０１０５】
(４)変形例４
上記実施例では、平衡検出温度が高粘度判定用平衡検出温度（上記実施例では１３０℃）以上の場合で、「今回の平衡検出温度＞前回の平衡検出温度」の条件が３回以上連続して成立するときに、“カレーモード”に移行する、すなわち、平衡検出温度が３回以上連続して上昇し、平衡検出温度＋所定温度（上記実施例では２０℃）が上記３回以上連続して第１の限界温度（上記実施例では１５０℃）以上の場合に、“カレーモード”に移行するように構成しているが、平衡検出温度が３回以上連続して上昇し、平衡検出温度＋所定温度（上記実施例では２０℃）が、上記３回のうちの１回でも第１の限界温度（上記実施例では１５０℃）以上である場合には“カレーモード”に移行するように構成することも可能である。
【０１０６】
本発明は、さらにその他の点においても上記実施例や変形例に限定されるものではなく、発明の範囲内において、種々の応用、変形を加えることが可能である。
【符号の説明】
【０１０７】
１ａ      標準バーナ
１ｂ      高火力バーナ
１ｃ      小バーナ
２ａ      上側バーナ（グリルバーナ）
２ｂ、２ｃ      下側バーナ（グリルバーナ）
３        流量制御弁
４        グリル部
７        点火プラグ
８        熱電対
９        温度センサ（鍋底温度センサ）
１０      器具本体
１１      元ガス供給路（主ガス配管）
１２      元ガス電磁弁
１３ａ    標準バーナ用分岐路
１３ｂ    高火力バーナ用分岐路
１３ｃ    小バーナ用分岐路
１３ｄ    グリルバーナ用分岐路
１９      位置センサ
２１      加熱状態調節部
２１ａ    標準バーナ操作部
２１ｂ    高火力バーナ操作部
２１ｃ    小バーナ操作部
２２      グリルバーナ操作部
２３      燃焼表示ランプ
２４      電源スイッチ
２５      電源ランプ
３２      バーナ用の付加機能操作・表示部
３３      グリル用の付加機能操作・表示部
３４      手動操作部  
５１      五徳
【図１】
2010255949.tif 000003
【図２】
2010255949.tif 000004
【図３】
2010255949.tif 000005
【図４】
2010255949.tif 000006
【図５】
2010255949.tif 000007
【図６】
2010255949.tif 000008
【図７】
2010255949.tif 000009
【図８】
2010255949.tif 000010
【図９Ａ】
2010255949.tif 000011
【図９Ｂ】
2010255949.tif 000012
【図９Ｃ】
2010255949.tif 000013
【図１０Ａ】
2010255949.tif 000014
【図１０Ｂ】
2010255949.tif 000015
【図１０Ｃ】
2010255949.tif 000016